(57)【要約】      （修正有）【課題】携帯端末の各種機能を安定して動作させるユーザインタフェースを設定する。【解決手段】ネットワークを介して接続された携帯電話１１０に対して予め携帯電話１１０に設定された各種機能を選択するための操作体系情報を提供する操作体系提供サーバ１００を備え、携帯電話１１０が、操作体系情報に基づき選択された各種機能の実行を制御する制御手段を備え、操作体系提供サーバ１００が、携帯電話１１０の各種機能に対応した動作呼び出し情報を記憶する手段１０１と、動作呼び出し情報からなる操作体系情報を生成する手段１０２を有すると共に、生成された操作体系情報に基づく選択操作により携帯電話１１０の各種機能が実行可能であるか否かを判定し、各種機能が実行可能の場合に操作体系情報を携帯電話１１０に提供する手段１０３を備えた。【選択図】図１
2010170410.tif 000002
【特許請求の範囲】
【請求項１】
ネットワークを介して接続された携帯端末に対して当該携帯端末に予め設定された各種機能を選択するための操作体系情報を提供する操作体系提供サーバを備えた操作体系設定システムであって、
前記携帯端末は、
前記提供された操作体系情報を出力表示する操作体系表示手段と、
前記操作体系情報に基づき選択された前記各種機能の実行にかかる一連の動作を制御する制御手段とを備え、
前記操作体系提供サーバは、
前記携帯端末の各種機能に対応して予め設定された動作呼び出し情報を記憶する呼び出し情報記憶手段と、
前記動作呼び出し情報からなる操作体系情報を生成する操作体系情報生成手段と、
前記生成された操作体系情報に基づく選択操作により前記各種機能が実行可能であるか否かを判定すると共に前記各種機能が実行可能であると判定された場合に前記操作体系情報を前記携帯端末に提供する操作体系情報提供手段とを備えたことを特徴とする操作体系設定システム。
【請求項２】
前記請求項１に記載の操作体系設定システムにおいて、
前記携帯端末は、前記操作体系提供サーバに対してアクセスを行い前記呼び出し情報記憶手段から所望の動作呼び出し情報を読み出すと共に、当該動作呼び出し情報からなる操作体系情報の更新編集を行う操作体系編集手段を備えたことを特徴とする操作体系設定システム。
【請求項３】
前記請求項２に記載の操作体系設定システムにおいて、
前記操作体系提供サーバの操作体系情報提供手段は、
前記携帯端末により行われた前記設定編集が予め設定された編集操作内容である場合に、前記更新編集の抑制制御を行う編集設定抑制機能を備えたことを特徴とする操作体系設定システム。
【請求項４】
前記請求項１に記載の操作体系設定システムにおいて、
前記携帯端末は、前記操作体系提供サーバに対して前記操作体系情報を要求する要求情報を送信する要求情報送信手段を備え、
前記操作体系提供サーバは、前記要求情報の内容に応じて前記動作呼び出し情報を読み出すと共に、前記動作呼び出し情報を組み合わせた操作体系情報を設定する読出し設定手段を備えたことを特徴とする操作体系設定システム。
【請求項５】
ネットワークを介して携帯端末に接続され、当該携帯端末に予め設定された各種機能を選択するための操作体系情報を前記携帯端末に提供する操作体系提供サーバであって、
前記携帯端末の各種機能に対応して予め設定された動作呼び出し情報を記憶する呼び出し情報記憶手段と、
前記動作呼び出し情報からなる操作体系情報を生成する操作体系生成手段と、
前記携帯端末の各種機能が前記操作体系情報に基づく選択操作により実行可能であるか否かを判定すると共に前記各種機能が実行可能であると判定された場合に前記操作体系情報を前記携帯端末に提供する操作体系情報提供手段とを備えたことを特徴とする操作体系提供サーバ。
【請求項６】
前記請求項５に記載の操作体系提供サーバにおいて、
前記携帯端末から送り込まれた要求情報の内容に応じて前記動作呼び出し情報を読み出すと共に、当該動作呼び出し情報を組み合わせた操作体系情報を設定する読出し設定手段を備えたことを特徴とする操作体系提供サーバ。
【請求項７】
ネットワークを介して接続された携帯端末と、前記携帯端末に予め設定された各種機能を選択するための操作体系情報を生成する操作体系提供サーバとを備えた操作体系設定システムにあって、前記操作体系情報を前記携帯端末に設定する操作体系設定方法であって、
前記携帯端末は、前記操作体系提供サーバに対してアクセスを行い、前記携帯端末の各種機能に対応して予め設定された動作呼び出し情報を読み出し、操作体系提供サーバが、前記動作呼び出し情報からなる操作体系情報を生成し、前記操作体系情報に基づく選択操作により実行可能であるか否かを判定すると共に、前記各種機能が実行可能であると判定された場合に前記操作体系情報を前記携帯端末に提供し、前記携帯端末が、前記操作体系情報に基づく選択操作に基づき前記各種機能の実行動作を制御する操作体系設定方法。
【請求項８】
ネットワークを介して接続された携帯端末と、前記携帯端末に予め設定された各種機能を選択するための操作体系情報を生成する操作体系提供サーバとを備えた操作体系設定システムにあって、前記携帯端末に前記操作体系情報を設定するための操作体系設定プログラムであって、
前記携帯端末の各種機能に対応して予め設定された動作呼び出し情報を読み出すと共に当該動作呼び出し情報からなる操作体系情報を生成する操作体系生成機能と、
前記操作体系情報に基づく選択操作により前記各種機能が実行可能であるか否かを判定すると共に、前記各種機能が実行可能であると判定された場合に前記操作体系情報を前記携帯端末に提供する操作体系情報提供機能とを前記操作体系提供サーバのコンピュータに実行させることを特徴とした操作体系設定プログラム。
【発明の詳細な説明】
【技術分野】
【０００１】
本発明は、携帯端末に関し、特に携帯電話端末等の操作性をカスタマイズするための操作体系設定システムおよび操作体系提供サーバに関する。
【背景技術】
【０００２】
携帯電話には、ユーザがよく使う特定のメニュー項目を集めておくといった、携帯端末の操作性の一部をカスタマイズするための設定手法が用意されている。しかしながら、携帯電話における各ユーザの好みによってカスタマイズ可能な設定手法(使用優先設定)は限定的なものであって、携帯電話の操作性(ユーザインタフェース)を大きく変更する仕組みとしては用意されていない。
また、携帯電話の操作体系としてのユーザインタフェースを変更する場合、複雑な操作が必要であったり、製造メーカごとに異なる携帯電話の仕様を理解する必要があったりするため、各ユーザによるインタフェースの変更(操作体系変更)は困難なものとなってしまうという不都合があった。
【０００３】
一方で、例えばパーソナルコンピュータでは、携帯電話に比べユーザインタフェースをユーザが変更可能である場合が多く、このため、パーソナルコンピュータにおける各ユーザの機能使用頻度に応じて、各ユーザにとって最適な操作性(ユーザインタフェース)にカスタマイズすることが可能となっている。
【０００４】
これに対する関連技術として、携帯端末(携帯電話)の設定情報であるプロファイル情報を、ネットワークを介して取得すると共に、このプロファイル情報に基づき、予め携帯端末に設定された、カメラ機能、電子メール、ブラウザなどの機能を、使用者からの一押下操作により起動可能に設定する手法が開示されている(特許文献１)。
【先行技術文献】
【特許文献】
【０００５】
【特許文献１】特開２００７−２０１９２２公報
【発明の概要】
【発明が解決しようとする課題】
【０００６】
しかしながら、上記特許文献１に開示された関連技術では、使用者が携帯電話に予め設定されたユーザインタフェースを大幅に変更した場合に、携帯電話として必要な基本的機能を起動できなくなったり、呼び出せなくなったりするといった不都合が生じ、例えば、携帯電話による通話ができなくなるといった不都合が生じ得る。
【０００７】
［発明の目的］
本発明は、上記関連技術の有する不都合を改善し、携帯端末におけるユーザインタフェースを各使用者に適した操作体系に設定させ得る操作体系設定システム、操作体系設定方法、操作体系設定プログラムを提供することを、その目的とする。
【課題を解決するための手段】
【０００８】
上記目的を達成するために、本発明に係る操作体系設定システムは、ネットワークを介して接続された携帯端末に対して当該携帯端末に予め設定された各種機能を選択するための操作体系情報を提供する操作体系提供サーバを備えた操作体系設定システムであって、前記携帯端末は、前記提供された操作体系情報を出力表示する操作体系表示手段と、前記操作体系情報に基づき選択された前記各種機能の実行にかかる一連の動作を制御する制御手段とを備え、前記操作体系提供サーバは、前記携帯端末の各種機能に対応して予め設定された動作呼び出し情報を記憶する呼び出し情報記憶手段と、前記動作呼び出し情報からなる操作体系情報を生成する操作体系情報生成手段と、前記生成された操作体系情報に基づく選択操作により前記各種機能が実行可能であるか否かを判定すると共に前記各種機能が実行可能であると判定された場合に前記操作体系情報を前記携帯端末に提供する操作体系情報提供手段とを備えた構成をとっている。
【０００９】
又、本発明にかかる操作体系提供サーバは、ネットワークを介して携帯端末に接続され、当該携帯端末に予め設定された各種機能を選択するための操作体系情報を前記携帯端末に提供する操作体系提供サーバであって、前記携帯端末の各種機能に対応して予め設定された動作呼び出し情報を記憶する呼び出し情報記憶手段と、前記動作呼び出し情報からなる操作体系情報を生成する操作体系生成手段と、前記携帯端末の各種機能が前記操作体系情報に基づく選択操作により実行可能であるか否かを判定すると共に前記各種機能が実行可能であると判定された場合に前記操作体系情報を前記携帯端末に提供する操作体系情報提供手段とを備えた構成となっている。
【００１０】
更に、本発明にかかる操作体系設定方法は、ネットワークを介して接続された携帯端末と、前記携帯端末に予め設定された各種機能を選択するための操作体系情報を生成する操作体系提供サーバとを備えた操作体系設定システムにあって、前記操作体系情報を前記携帯端末に設定する操作体系設定方法であって、前記携帯端末は、前記操作体系提供サーバに対してアクセスを行い、前記携帯端末の各種機能に対応して予め設定された動作呼び出し情報を読み出し、操作体系提供サーバが、前記動作呼び出し情報からなる操作体系情報を生成し、前記操作体系情報に基づく選択操作により実行可能であるか否かを判定すると共に、前記各種機能が実行可能であると判定された場合に前記操作体系情報を前記携帯端末に提供し、前記携帯端末が、前記操作体系情報に基づく選択操作に基づき前記各種機能の実行動作を制御することを特徴としている。
【００１１】
又、本発明にかかる操作体系設定プログラムは、ネットワークを介して接続された携帯端末と、前記携帯端末に予め設定された各種機能を選択するための操作体系情報を生成する操作体系提供サーバとを備えた操作体系設定システムにあって、前記携帯端末に前記操作体系情報を設定するための操作体系設定プログラムであって、前記携帯端末の各種機能に対応して予め設定された動作呼び出し情報を読み出すと共に当該動作呼び出し情報からなる操作体系情報を生成する操作体系生成機能と、前記操作体系情報に基づく選択操作により前記各種機能が実行可能であるか否かを判定すると共に、前記各種機能が実行可能であると判定された場合に前記操作体系情報を前記携帯端末に提供する操作体系情報提供機能とを前記操作体系提供サーバのコンピュータに実行させることを特徴としている。
【発明の効果】
【００１２】
本発明は、以上のように構成され機能するので、これによると、携帯端末に予め設定された各種機能を選択するための操作体系情報を生成すると共に携帯端末に提供する操作体系提供サーバが、操作体系情報に基づく選択操作により携帯端末の各種機能が実行可能であるか否かを判定する手段を備えた構成としたことにより、携帯端末におけるユーザインタフェースを、安定して動作する、各使用者に適した操作体系操作体系として設定する操作体系設定システム、操作体系編集サーバ、操作体系設定方法、および操作体系設定プログラムを提供することができる。
【図面の簡単な説明】
【００１３】
【図１】本発明による操作体系設定システムの一実施形態を示す概略ブロック図である。
【図２】図１に開示した操作体系設定システムにおける全体の動作処理ステップを示したフローチャートである。
【発明を実施するための形態】
【００１４】
［実施形態］
次に、本発明の実施形態について、その基本的構成内容を説明する。
【００１５】
本実施形態の操作体系設定システムは、図１に示すように、プログラム制御により動作し、携帯電話通信網およびインターネットなどの通信網(ネットワーク)１２０に通信アクセス可能な携帯電話(携帯端末)１１０と、この携帯電話１１０に対して通信網１２０を介して接続され、携帯電話１１０に設定された各種機能を呼び出すためのユーザインタフェース体系情報を生成するユーザインタフェース編集サーバ(操作体系提供サーバ)１００を備えた構成となっている。
【００１６】
また、ユーザインタフェース編集サーバ１００は、その内部にユーザインタフェース部品情報を記憶するユーザインタフェース部品格納部(呼び出し情報記憶手段)１０１と、携帯電話１１０からの要求(編集要求)に応じてユーザインタフェース部品情報の読み出しを行い、ユーザインタフェース部品情報を組み合わせることにより構築されるユーザインタフェース体系情報(以下「ＵＩ体系情報」という)の生成および編集行うユーザインタフェース編集部１０２と、ユーザインタフェース編集部(操作体系情報生成手段)１０２の内容を確認し、禁止された編集内容の場合は警告を携帯電話１１０への通知を行うユーザインタフェース確認部(操作体系情報提供手段)１０３を備えた構成となっている。
【００１７】
尚、ユーザインタフェース編集サーバ１００は、その内部にＣＰＵ(Central Processing Unit)と、メモリ、ＨＤＤ(Hard Disc Drive)などの記憶装置を備えた構成であって、記憶装置内にあらかじめ設定されたプログラムを実行処理することにより、ユーザインタフェース編集部１０２、およびユーザインタフェース確認部１０３として実行される機能処理などを実現するものとする。
【００１８】
携帯電話１１０は、ユーザインタフェース編集サーバ１００から送り込まれたＵＩ体系情報を格納し記憶するユーザインタフェース記憶部１１２と、ユーザインタフェース記憶部１１２に記憶されたＵＩ体系情報を出力表示するユーザインタフェース表示部(操作体系表示手段)１１１と、通信網１２０を介してユーザインタフェース編集サーバ１００に通信アクセスを行うと共にユーザインタフェース編集サーバ１００に対して編集要求を送信することによりＵＩ体系情報の生成および編集を要求するユーザインタフェース編集操作部１１３とを備えている。
【００１９】
尚、携帯電話１１０は、その内部にＣＰＵ(Central Processing Unit：制御手段)、およびメモリなどの記憶装置を備えた構成であって、記憶装置内にあらかじめ設定されたプログラムを実行処理することにより、予め設定された各種機能としてのメール機能、通話機能、カメラ機能などの実行や、提供されたＵＩ体系情報を出力表示する処理、および、ユーザインタフェース編集サーバ１００に対してＵＩ体系情報の生成および編集を要求する処理などを実現するものとする。
【００２０】
以下、これを詳説する。
ユーザインタフェース部品格納部１０１は、携帯電話１１０に予め設定された各種機能(通話機能、メール機能、カメラ機能など)に対応して、ユーザから選択指定された場合に対応する携帯電話の各機能の起動を行うための情報であるユーザインタフェース部品情報を格納する、例えばＨＤＤ(Hard Disc Drive)などの記憶装置である。
【００２１】
このユーザインタフェース部品情報は、携帯電話１１０内にインストールされ、設定された表示形式で出力表示される。
携帯電話１１０には、このユーザインタフェース部品情報が選択指定された場合に、携帯電話１１０の各種機能の実行処理を起動するように、予めプログラムが設定されているものとする。
また、ユーザインタフェース部品格納部１０１に格納されたユーザインタフェース部品情報は、ユーザインタフェース編集部１０２による制御によって読み出され、ＵＩ体系情報を構成する情報として利用される。
【００２２】
ユーザインタフェース編集部１０２は、携帯電話１１０(ユーザインタフェース編集操作部１１３)からの通信アクセスおよび要求に応じてユーザインタフェース部品格納部１０１から、指定(要求)されたインタフェース部品情報を、予め設定されたメモリ上に読み出す部品情報読出し機能と、読み出されたインタフェース部品情報を組み合わせてユーザインタフェース体系情報の生成を行うＵＩ体系情報生成機能を備えている。
【００２３】
また、ユーザインタフェース編集部１０２は、生成または編集したＵＩ体系情報を、通信網１２０を介して携帯電話１１０に送信する体系情報提供手段を備えている。
尚、ユーザインタフェース編集部１０２は、ＵＩ体系情報内にＵＩ体系情報が携帯電話１１０でどのように出力表示されるかを示す出力レイアウト情報を含めて、ＵＩ体系情報を生成する設定であってもよい。
【００２４】
更に、ユーザインタフェース編集部１０２は、携帯電話１１０からの通信アクセスに対して、ＵＩ体系情報の編集・生成の内容を示すユーザインタフェース編集画面を生成し、携帯電話１１０に送信する編集画面送信機能を備えている。
携帯電話１１０側では、送り込まれたユーザインタフェース編集画面を介して所望のＵＩ部品情報の選択指定や、ＵＩ体系情報内容の編集操作を行うことができる。
【００２５】
ユーザインタフェース確認部１０３は、例えば、ユーザによって選択指定されたユーザインタフェース部品情報、および生成・編集されたＵＩ体系情報の内容を随時確認する指定部品情報確認機能を有する。
ユーザインタフェース確認部１０３は、編集・生成されたＵＩ体系情報が携帯電話１１０にインストールされ携帯電話１１０の通常機能の実行に、異常や影響を与えるか否かの判定を行う。
【００２６】
ユーザインタフェース確認部１０３は、例えば、ＵＩ体系情報内に、生成・編集されたＵＩ体系情報に予め組み合わせることが禁じられたユーザインタフェース部品情報の組み合わせが含まれている場合や、選択指定されたインタフェース部品情報に予め設定された通常機能のインタフェース部品情報が含まれていない場合などに、当該ＵＩ体系情報は携帯電話１１０の通常機能の実行に、異常や影響を与えるものと判定する。
【００２７】
ユーザインタフェース確認部１０３は、ＵＩ体系情報が携帯電話１１０の通常機能の実行に、異常や影響を与えるものと判定した場合に、通信網１２０を介して携帯電話１１０に対して禁止編集内容を示す警告情報を携帯端末１１０に送信する禁止内容通知手段を備えている。
【００２８】
また、ユーザインタフェース確認部は、携帯電話１１０の予め設定された通常機能の起動や実行に異常や影響を与える可能性のある部品情報の組み合わせが含まれている場合や、選択指定されたインタフェース部品情報に予め設定された通常機能のインタフェース部品情報が含まれていない場合など、予め設定された禁止された編集内容を記憶する禁止内容記憶手段を備えているものとする。
【００２９】
また、ユーザインタフェース確認部１０３は、上述のように、生成・編集されたＵＩ体系情報に、携帯電話１１０の予め設定された通常機能の起動や実行に異常や影響を与える可能性のあるＵＩ部品情報の組み合わせが含まれている場合や、選択指定されたＵＩ部品情報に携帯電話の通常機能のＵＩ部品情報が含まれていない場合に、ユーザインタフェース編集操作部１１３からの要求にかかる編集操作を中止する編集操作抑制機能を備えていてもよい。
【００３０】
また、選択指定されたＵＩ部品情報に、携帯電話１１０の予め設定された通常機能の起動や実行に異常や影響を与える可能性のあるＵＩ部品情報の組み合わせが含まれている場合や、選択指定されたＵＩ部品情報に携帯電話の通常機能のＵＩ部品情報が含まれていない場合には、ＵＩ体系情報の生成確定を行うことができない設定としてもよい。
【００３１】
これにより、ユーザインタフェース編集サーバ１００は、ＵＩ体系情報が生成・編集される際に、携帯電話１１０の機能を適切に動作させるユーザインタフェース部品情報の組み合わせを確認することができる。
【００３２】
また、適切なインタフェース部品情報が選択指定されているか否かを随時確認することにより、生成(編集)されたＵＩ体系情報が携帯電話１１０に設定された場合に、例えば携帯電話における通常機能である通話機能やメール機能などの通常機能が、起動実行できない、などの不都合の発生を回避できる。
【００３３】
携帯電話１１０のユーザインタフェース表示部１１１は、携帯電話１１０のディスプレイであって、上述のように、ユーザインタフェース編集サーバ１００から送り込まれたＵＩ体系情報や後述するユーザインタフェース編集画面などを出力表示する。
【００３４】
尚、ユーザインタフェース表示部１１１は、出力表示されたＵＩ体系情報、およびＵＩ部分情報が出力表示された画面領域の押下された位置を位置情報と取得し携帯電話１１０の各種機能を起動するタッチパネル方式であってもよい。
また、ユーザインタフェース表示部１１１は、ＵＩ体系情報内に予め設定された表示レイアウトに基づき、ＵＩ体系情報を出力表示する設定であってもよい。
【００３５】
ユーザインタフェース記憶部１１２は、通信網１２０を介してユーザインタフェース編集サーバ１００から送り込まれたＵＩ体系情報、およびＵＩ部分情報を格納するＵＩ体系情報記憶機能を備えている。
【００３６】
ユーザインタフェース編集操作部１１３は、ユーザインタフェース編集サーバ１００のユーザインタフェース編集部１０２に通信アクセスを行う入力アクセス機能を備えている。
また、ユーザインタフェース編集操作部１１３は、通信アクセス先であるユーザインタフェース編集部１０２からユーザインタフェース編集画面を取得すると共に、出力表示されたユーザインタフェース編集画面を介して指定された入力指定信号を、通信網１２０を介してユーザインタフェース編集サーバ１００に送信する指定信号送信手段を備えているものとする。
【００３７】
これにより、携帯電話ユーザは、ユーザインタフェース編集画面を選択指定する操作により、ユーザインタフェース編集サーバ１００上(ユーザインタフェース編集部１０２)で実行されるＵＩ体系情報の生成・編集内容を指示することができる。
【００３８】
このため、例えば、携帯電話１１０ユーザは、ユーザインタフェース編集画面を介して所望のユーザインタフェース部品情報を選択し、当該ユーザインタフェース部品情報からなるＵＩ体系情報を生成・変種することができる。
【００３９】
尚、ユーザインタフェース編集操作部１１３は、携帯電話１１０のユーザからの入力操作を入力信号として受け付ける、例えば入力キーやタッチパネルなどの入力操作受付手段を含む構成であるものとする。
また、ユーザインタフェース編集操作部１１３は、ユーザインタフェース編集画面が選択指定されることにより、ユーザインタフェース編集操作部１１３は、ユーザインタフェース編集部１０２に対して、操作内容に対応する編集要求情報を送信する。
【００４０】
これにより、携帯電話１１０ユーザは、ユーザインタフェース(体系情報)をＧＵＩ(Graphical User Interface)を介して、ユーザインタフェース編集サーバ１００内に生成されるＵＩ体系情報で編集することができる。
【００４１】
通信網１２０は、例えばウェブページデータなどの通信データを通信するための通信ネットワークや携帯電話通信網である。
【００４２】
以上のように、本実施形態では、ユーザインタフェース編集サーバにてユーザが編集したユーザインタフェース(ＵＩ体系情報)における問題の有無を常時確認することにより、携帯電話１１０における各種機能を安定して動作可能とするユーザインタフェースを、ユーザインタフェース編集サーバの管理の下で編集することを可能となる。
【００４３】
また、本実施形態では、ユーザインタフェース(体系情報)をＧＵＩ(Graphical User Interface)を介してＵ体系情報の編集を行い、そのユーザインタフェース編集サーバ上でユーザインタフェースの妥当性を確認することで、携帯電話の基本的機能の操作に影響を及ぼさないユーザインタフェースをカスタマイズすることができ、このため、ユーザが自らの好みに応じて携帯電話のユーザインタフェースをカスタマイズすることを可能にする。
【００４４】
［実施形態の動作説明］
次に、本実施形態の全体の動作について、説明する。
先ず、携帯電話１１０は、ユーザインタフェース編集サーバ１００に対してアクセスを行い、携帯電話１１０の各種機能に対応して予め設定されたＵＩ部品情報(動作呼び出し情報)を読み出し、操作体系提供サーバ１００が、ＵＩ部品情報からなるＵＩ体系情報を生成し(操作体系情報生成工程)、ＵＩ体系情報に基づく選択操作により携帯電話１１０の各種機能が実行可能であるか否かを判定すると(操作体系判定工程)共に、各種機能が実行可能であると判定された場合にＵＩ体系情報を携帯電話１１０に提供し(操作体系情報提供工程)、携帯電話１１０がＵＩ体系情報に基づく選択操作に基づき各種機能の実行動作を制御する。
【００４５】
ここで、上記操作体系情報生成行程、操作体系判定工程、および操作体系情報提供行程については、その実行内容をプログラム化し、コンピュータに実行させるように構成してもよい。
【００４６】
次に、上記実施形態における全体の動作について図２のフローチャートに基づいて説明する。
【００４７】
まず、ユーザは、携帯電話１１０上に予め設定されたユーザインタフェース編集操作部１１３を操作することにより、ユーザインタフェース編集サーバ１００内のユーザインタフェース編集部１０２に、ネットワークを介して通信アクセスを行う(ステップＳ１０１)。
【００４８】
ここで、携帯電話１１０の出力表示部には、ユーザインタフェース編集画面が出力表示される。
【００４９】
次いで、出力表示されたユーザインタフェース編集画面を介して、携帯電話ユーザが、所望のユーザインタフェース部品情報を選択指定する(ステップＳ１０２)。
【００５０】
選択指定された内容がユーザインタフェース編集サーバ１００に送り込まれ、選択指定されたユーザインタフェース部品情報が読み出される(ステップＳ１０３)。
ここで、ユーザインタフェース編集画面には、選択指定されたユーザインタフェース部品情報がリスト化されて表示されているものとする。
【００５１】
このとき、ユーザインタフェース確認部１０３が、読み出されたユーザインタフェース部品情報の組み合わせが、予め設定された禁止選択組み合わせに含まれていないか、または、携帯電話１１０の基本機能として予め設定されたユーザインタフェース部品情報が選択指定されているか、を調べる(操作体系判定：ステップＳ１０４)。
【００５２】
ここでは、携帯電話１１０からユーザインタフェース部品情報の選択指定が繰り返し行われる。ユーザインタフェース確認部１０３は、ユーザインタフェース部品情報が選択されたり、選択が解除される毎に随時、操作体系判定を行うものとする。
【００５３】
ここで、読み出されたユーザインタフェース部品情報の組み合わせが禁止選択組み合わせに含まれず、且つ携帯電話１１０から操作体系情報選択確定を示す入力があった場合に、読み出されたユーザインタフェース部品情報から構成されるＵＩ体系情報が生成される(ステップＳ１０５)。
【００５４】
一方、例えば、読み出されたユーザインタフェース部品情報の組み合わせが禁止選択組み合わせに含まれる場合には、ユーザインタフェース確認部１０３は、携帯電話１１０に対して、選択指定されたユーザインタフェース部品情報は、それまでに選択されたユーザインタフェース部品情報との組み合わせが許容されないことを示す選択指定禁止メッセージを送信する(ステップＳ１０６)。送信された選択禁止メッセージは携帯電話１１０のユーザインタフェース表示部１１１に出力表示される。
【００５５】
次いで、ユーザインタフェース編集部１０２は、生成・編集されたＵＩ体系情報を携帯電話１１０に送信する(ステップＳ１０７)。
次に、携帯電話１１０では、送り込まれたＵＩ体系情報が実行可能にインストールされ、ユーザインタフェース表示部１１１に出力表示される(ステップＳ１０８)。
【００５６】
これにより、携帯電話１１０には、ＵＩ体系情報が設定され、ユーザが出力表示されたＵＩ体系情報のアイコンなどを選択指定することにより、携帯電話１１０における予め設定された各種機能を起動することができる状態となる。
【００５７】
以上のように、本発明ではユーザが自らの好みに応じて携帯電話のユーザインタフェース(ＵＩ体系情報)を作成することができ、更には、ユーザインタフェース編集サーバ側でその編集内容(ＵＩ体系情報)が携帯電話の各種機能呼び出しを適切に行うユーザインタフェースとして動作するか否かを確認することによって、携帯電話のユーザインタフェースを適切にカスタマイズすることを可能とする。
【産業上の利用可能性】
【００５８】
本発明は、モバイル通信ネットワークにおける携帯端末等に有用に適用することができる。
【符号の説明】
【００５９】
１００  ユーザインタフェース編集サーバ
１０１  ユーザインタフェース部品格納部
１０２  ユーザインタフェース編集部
１０３  ユーザインタフェース確認部
１１０  携帯電話
１１１  ユーザインタフェース表示部
１１２  ユーザインタフェース記憶部
１１３  ユーザインタフェース編集操作部
１２０  通信網
【図１】
2010170410.tif 000003
【図２】
2010170410.tif 000004